(57)【要約】  家具（１）用の引出し収納部（３）に関する。この引出し収納部（３）は、底部プレート（３ａ）と、底部プレート（３ａ）に固定された少なくとも１体の収納部レール（８）とを含んでおり、収納部レール（８）によって、収納部（３）を家具枠体（２）に対して相対的に延び出させるように取り付けるために、引出し収納部（３）は、引出し延出ガイド（４）の可動レール（７）に接続され、あるいは接続可能である。収納部レール（８）は底面プレート（３ａ）の下面に当接するＺ形状部分（８ａ、８ｂ、８ｃ）を有しており、下部水平肢部（８ａ）と上部水平肢部（８ｂ）とは、垂直であるか湾曲した脚部（８ｃ）によって連結されている。下部水平肢部（８ａ）は底部プレート（３ａ）の下面に当接または固定される。上部水平肢部（８ｂ）と脚部（８ｃ）は底部プレート（３ａ）の凹部（１５）に当接あるいは嵌め込まれるように設計されている。
2013518621.tif 000002
【特許請求の範囲】
【請求項１】
家具（１）用の引出し収納部（３）であって、底部プレート（３ａ）と、該底部プレート（３ａ）に固定された少なくとも１体の収納部レール（８）とを含んでおり、該収納部レール（８）を利用することで、本引出し収納部（３）を家具枠体（２）に対して延び出させるように取り付けるために、本引出し収納部（３）は、引出し延出ガイド（４）の可動レール（７）に接続され、あるいは接続可能であり、前記収納部レール（８）は前記底面プレート（３ａ）の下面に当接する部分（８ａ、８ｂ、８ｃ）を有しており、該部分（８ａ、８ｂ、８ｃ）は、断面が略Ｚ形状または略Ｓ形状である下部水平肢部（８ａ）と上部水平肢部（８ｂ）とを含んだものであり、該下部水平肢部（８ａ）と該上部水平肢部（８ｂ）とは、好適には実質的に垂直又は湾曲した脚部（８ｃ）によって連結されており、
前記下部水平肢部（８ａ）は前記底部プレート（３ａ）の下面に当接するよう、または固定されるように構成されており、前記上部水平肢部（８ｂ）及び前記脚部（８ｃ）は、前記底部プレート（３ａ）の凹部（１５）に当接あるいは凹部（１５）内に固定されるように構成されていることを特徴とする引出し収納部。
【請求項２】
前記脚部（８ｃ）は、前記底部プレート（３ａ）の対応する長手溝（１２）内に納まる横突起部（１１）を有していることを特徴とする請求項１記載の引出し収納部。
【請求項３】
前記Ｚ形状またはＳ形状の部分（８ａ、８ｂ、８ｃ）には、前記底部プレート（３ａ）の前記横縁部に当接する実質的に垂直な輪郭部分（８ｄ）が隣接していることを特徴とする請求項１または２記載の引出し収納部。
【請求項４】
前記垂直な輪郭部分（８ｄ）には、前記底部プレート（３ａ）の上面に実質的に垂直に当接する支持肢部（８ｅ）が隣接していることを特徴とする請求項３記載の引出し収納部。
【請求項５】
前記収納部レール（８）は、前方端部領域と後方端部領域において、それぞれ、引出し後壁（１９）および前方パネル（３ｂ）を固定するように提供された上方に突起した取付部（１６、１７）を有していることを特徴とする請求項１から４のいずれかに記載の引出し収納部。
【請求項６】
前記取付部（１６、１７）を備えた前記収納部レール（８）は、側面が略Ｕ形状であることを特徴とする請求項５記載の引出し収納部。
【請求項７】
前記引出し収納部（３）の側壁（１０）が前記取付部（１６、１７）に適合することを特徴とする請求項５または６記載の引出し収納部。
【請求項８】
好適にはプレート形状である壁要素（２０）が、前記取付部（１６、１７）間に挿入されていることを特徴とする請求項５から７のいずれかに記載の引出し収納部。
【請求項９】
前記凹部（１５）は前記底部プレート（３ａ）の下面に提供され、該凹部（１５）は、該底部プレート（３ａ）の実質的に全長に亘って延びていることを特徴とする請求項１から８のいずれかに記載の引出し収納部。
【請求項１０】
前記凹部（１５）は前記底部プレート（３ａ）の前記横縁部と平行に延びていることを特徴とする請求項１から９のいずれかに記載の引出し収納部。
【請求項１１】
前記凹部（１５）は前記底部プレート（３ａ）の前記横縁部に向かって開いていることを特徴とする請求項１から１０のいずれかに記載の引出し収納部。
【請求項１２】
前記収納部レール（８）は金属材料で形成されていることを特徴とする請求項１から１１のいずれかに記載の引出し収納部。
【請求項１３】
請求項１から１２のいずれかに記載の引出し収納部を備えた構造物であって、引出し延出ガイド（４）の可動レール（７）に接続されており、または接続されることを特徴とする構造物。
【発明の詳細な説明】
【技術分野】
【０００１】
本発明は家具の引出し収納部に関する。この引出し収納部は、底部プレートと、底部プレートに固定されている少なくとも１本の収納部レールとを含んでいる。この収納部レールによって引出し収納部は、家具枠体に対して延出可能な取り付けのための引出し延出ガイドの可動レールに接続される。収納部レールは、底部プレートの下面に当接し、断面が略Ｚ形状または略Ｓ形状であり、下部水平肢部と上部水平肢部とを有する部分を有する。下部水平肢部と上部水平肢部は、好適には略垂直または湾曲した脚部によって連結されている。
【背景技術】
【０００２】
このような収納部レールの多くは底部プレートの下面に設けられた凹部内に嵌め込まれ、引出し収納部を引出し延出ガイドの可動レールに接続させるのを助ける。この場合、引出し延出ガイドは選択的に２部材レールシステムの形態で、枠体レールが家具枠体に固定され、１本の延出レールだけがそれに対して相対的に移動するか、あるいは３部材レールシステムの形態で、追加の中央レールを枠体レールと延出レールとの間に取り付け、引出し収納部を家具枠体に対して完全に延出させるものでよい。従来方式では、底部プレートは、例えば、Ｕ断面形状の引出し側壁によって横縁部で包囲されている。この種の包囲（抱合）係合は底部プレートの上面に突合せ縁部を形成する（例えば、ＤＥ１０  ２００８  ０２４  ６７３  Ａ１）。これは邪魔で不細工な存在であると認識されることが多い。このような底部プレートの包囲係合によって引出し収納部の内側幅が減少する。さらに、従来の方式では、底部プレートがその横縁部において外れるリスクが存在する。特に、引出し収納部に相当な荷重が負荷されているときにこのリスクが存在する。
【０００３】
請求項１の前段部分の技術的特徴による引出し構造は、例えば、本出願人のＡＴ  ４００  ９９９  Ｂ、ＤＥ  ９１  １５  ４６５  Ｕ１およびＡＴ  ４０３  ６４８  Ｂにおいて解説されている。
【先行技術文献】
【特許文献】
【０００４】
【特許文献１】第ＡＴ  ４００  ９９９  Ｂ号公報
【特許文献２】第ＤＥ  ９１  １５  ４６５  Ｕ１号公報
【特許文献３】第ＡＴ  ４０３  ６４８  Ｂ号公報
【発明の概要】
【発明が解決しようとする課題】
【０００５】
本発明の目的は、上述の弱点を克服した上述の一般的なタイプの引出し収納部を提供することであり、特に引出しの利用可能な容積が拡大された引出し収納部を提供することである。
【課題を解決するための手段】
【０００６】
本発明によれば、この目的は請求項１の特徴によって達成される。本発明のさらなる有利な形態は従属請求項において記載されている。
【０００７】
本発明によれば、下部水平肢部が底部プレートの下面に当接または固定され、上部水平肢部と脚部が底部プレートに当接またはその凹部内に固定されるようになっている。
【０００８】
収納部レールのこのような形態のおかげで、底部プレートの表面を下方に降下させ、延出レールの上方縁部にさらに接近するように延出させることができる。底部プレートの縁部領域を、底部プレートの安定性を損なわずに、さらに薄くすることができる。なぜなら、その弱体化は収納部レールによって補完されるからである。
【０００９】
本発明の利点は、邪魔な突合せ縁部が存在しない底部プレートが、最外側縁部にまで延出することができ、特に、引出し延出ガイドのレールを完全に越えて延出することができ、引出しの利用可能な幅が増加することである。よって、底部プレートと引出し側壁との間のごとくに直角構造を提供することも可能であり、そのため、引出しフレーム構造の側壁の内側断面が膨出湾曲したワイピングエッジによって引出し内にはスペースの損失がなくなる。底部プレートに対する側壁の直角構造は、改善された収納スペース、特に立方形状の箱の収納スペースを提供する。
【００１０】
収納部レールは、底部プレートの下面に当接または固定される下部水平肢部と、上部水平肢部とを有しており、これら下部水平肢部と上部水平肢部は、好適には、実質的に垂直であるか湾曲した脚部によって連結されている。
【００１１】
本発明の可能な形態では、Ｚ形状またはＳ形状である部分には、底部プレートの横縁部に当接する略垂直輪郭部分が隣接する。さらには、直角に突出する支持肢部が垂直輪郭部分に延出部を形成でき、その支持肢部は引出し底部の上面に当接する。収納部レールの解説された形状によって、底部プレートの横縁部が完全に包囲可能となり、液体が底部プレート内に浸透するリスク、特にチップボード材料で製造されている底部プレート内に浸透するリスクが回避される。
【００１２】
本発明の可能な形態において、引出し収納部は、収納部レールと一体的に形成された少なくとも１つの側壁を有することができる。換言すれば、収納部レールと側壁は、例えば押出し成型によって製造および曲げ加工された金属シート材またはアルミシート材から一体的に形成できる。
【００１３】
本発明のさらなる詳細および利点を添付の図面に沿って解説する。
【図面の簡単な説明】
【００１４】
【図１】図１は、引出し延出ガイドによって家具枠体に対して移動可能に取り付けられている引出し収納部を備えた家具の斜視図である。
【図２ａ】図２ａと図２ｂは、引出し延出ガイドに固定された引出し収納部の断面図であり、収納部レールが２つの異なる形状で図示されている。
【図２ｂ】図２ａと図２ｂは、引出し延出ガイドに固定された引出し収納部の断面図であり、収納部レールが２つの異なる形状で図示されている。
【図３ａ】図３ａは、引出し側壁と一体的に形成されている収納部レールを備えた別実施例の断面図である。
【図３ｂ】図３ｂは、ガイドレールの上方で嵌め込まれている側壁の状態を示す本発明には従わない形態を図示する。
【図４】図４は、引出し収納部の部材を分解図で示す。
【図５ａ】図５ａと図５ｂは、収納部レールとは分離された側壁を備えた引出し収納部の断面図である。
【図５ｂ】図５ａと図５ｂは、収納部レールとは分離された側壁を備えた引出し収納部の断面図である。
【図６】図６は、引出し収納部の部材を分解図で示す。
【発明を実施するための形態】
【００１５】
図１は、家具１の斜視図であり、引出し収納部３は引出し延出ガイド４によって家具枠体２に対して移動可能に取り付けられている。図示の実施例の引出し延出ガイド４は３部材レールシステムの形態であり、家具枠体２に固定される枠体レール５と、枠体レールに対して移動可能な中央レールと、引出し収納部３に取り付けられた収納部レール（ここでは非図示）に接続される延出可能な引出しレール７とを有している。しかしながら、引出し延出ガイド４が、１本だけの延出レールを備えた２部材レールシステムの形態であっても可能である。この場合には、引出し収納部３に予め取り付けられている収納部レールは引出しレールとして機能することもでき、最大延出形態を提供する。これら引出し収納部３はそれぞれ底部プレート３ａを有しており、そこに収納部レールが取り付けられる。
【００１６】
図２ａは、引出し延出ガイド４に取り付けられた引出し収納部３の断面図である。枠体レール４は家具枠体２の側壁に固定されており、移動可能な中央レール６と延出可能な引出しレール７が示されている。底部プレート３ａには、引出し延出ガイド４の引出しレール７に解除可能に連結された収納部レール８が固定されている。図示の実施例では、引出し収納部３が押し入れられたり、引き出されたとき、収納部レール８と引出しレール７との間には相対的な動きは存在しない。収納部レール８は底部プレート３ａの下面で部分的に延出し、図示の例では、底部プレート３ａの横縁部の方向に開いている凹部内に嵌め込まれる。底部プレート３ａの下面の段状凹部のおかげで、底部プレートをさらに下方に配置でき、底部プレート３ａの上面を引出しレール７の上方縁部の上方に存在させ、あるいはほぼその高さに存在させる。収納部レール８を、固定手段９、例えばネジまたは、底部プレート３ａの下面内に押し込まれる固定爪によって底部プレート３ａの下面に固定することができる。収納部レール８には側壁１０が接続できる。この側壁１０は、輪郭内壁と輪郭外壁１０とを有した中空輪郭部材の形態である。図は側壁１０の非常に薄い形状を明瞭に示しており、家具枠体２に非常に接近可能な底部プレート３ａの延出状態を示している。
【００１７】
その下方の図面は、断面が略Ｚ形状である収納部レール８を備えた底部プレート３ａを図示する。収納部レール８にＳ形状断面を提供することも可能である。特に、底部プレート３ａの凹部が内側湾曲形状である場合に利用できる。収納部レール８は底部プレート３ａの下面に当接または固定される下部水平肢部と、底部プレート３ａに当接または固定、あるいはその凹部内に固定される上部水平肢部８ｂとを有する。下部水平肢部８ａと上部水平肢部８ｂは、好適には略垂直または湾曲状態の脚部８ｃによって連結されている。上部水平肢部８ｂには垂直輪郭部分８ｄが隣接する。これは、底部プレート３ａの横縁部に当接する。垂直輪郭部分８ｄには、略直角に突出し、底部プレート３ａの上面に当接する支持肢部８ｅが隣接する。しかし、この支持肢部８ｅは非可視である。なぜなら、その変動位置と同様に、引出し収納部３の内部の邪魔な突合せ縁部は側壁１０によって覆うことが可能だからである。
【００１８】
図２ｂは収納部レール８の別例を示す。図２ａのものとは異なり、収納部レール８の脚部８ｃは、断面では水平に延び、底部プレート３ａの対応する長手溝１２に嵌め込まれる突起部１１を有する。この構造で改善された局部的な作用力配分が提供され、底部プレート３ａの破損リスクも減少する。全体的に、この構造は収納部レール８に改善された剛性と、増強された安定性を提供する。この構造により、突起部１１は実質的に収納部レール８の全長Ｌ（図６）に亘って延びることができる。
【００１９】
図３ａは、１枚の金属シート材から収納部レール８と、引出し収納部３の側壁１０を製造する可能なオプションを図示する。引出し延出ガイド４は、枠体レール５、中央レール６、および引出しレール７を備えた３部材レールシステムの形態である。収納部レール８はその下部水平肢部８ａにより底部プレート３ａの下面に当接し、底部プレート３ａの凹部内に嵌め込まれ、底部プレート３ａの横縁部を包囲する。収納部レール８は、互いに実質的平行に延びる輪郭内壁１０ａと輪郭外壁１０ｂとを有した側壁１０を形成する。輪郭外壁１０ｂの下方端部はＵ形状溝１４の形態であり、輪郭部は接続領域１３で再び閉じる。この接続は、例えば、クリンチ技法等で提供できる。
【００２０】
図３ｂは、別の知られたタイプの引出し延出ガイド４を備えた本発明にはよらない実施形態を図示する。収納部レール８は略Ｚ形状であり、輪郭脚部８ｃによって連結されている相互に平行である肢部８ａと８ｂを含んでいる。側壁１０は中空溝状輪郭部材であり、引出し延出ガイド４のレール５、６および７の上に嵌め込まれており、収納部レール８に接続されている。
【００２１】
図４は、引出し延出ガイド４によって移動可能に取り付けられている引出し収納部３の部材の分解図である。引出し延出ガイド４は、例えば、家具枠体２（図１）に固定される枠体レール５と、中央レール６と、収納部レール８に接続される引出しレール７とを含んだ３部材レールシステムを含む。引出し収納部３の底部プレート３ａは、好適には段状である凹部１５を含む。凹部１５は収納部のほぼ全長に亘って延びており、底部プレート３ａの横縁に向かって開いている。凹部１５は底部プレーと３ａの横縁部と平行に延びる。底部プレート３ａには長手溝１２も提供されており、底部プレートの全長を延びる。収納部レール８はほぼ垂直な脚部８ｃによって連結された相互に平行である肢部８ａと８ｂを有する。前端領域と後端領域にて収納部レール８にはそれぞれ上方に突起する取付部１６と１７が提供されている。これらは引出し後壁１９と前面パネル３ｂとを固定するものである。これら２つの上方に突起する取付部を備えた収納部レール８は、側面図でＵ形状輪郭を形成する。保持部分１８は前面パネル３ｂの後部に取り付けられて、前部の取付部１６に連結可能である。取付部１６は少なくとも１つの調節具１６ａを有しており、保持部１８の位置（および前面パネル３ｂの位置）を調節可能にしている。この実施例では、プレート形状である壁要素２０が前方と後方の取付部１６と１７の間に嵌め込まれ、キャップ形態であるカバー２１ａと２１ｂで保持される。従って壁要素２０は取付部１６と１７の間で非固定的に設置されており、引出し収納部３が家具枠体２に対して押し込まれたり、引き出されたときに作用力を伝達しない。よって壁要素２０は、ガラス、石材、木材、プラスチックまたは金属の装飾挿入体の形態でよい。本発明の収納部レール８のおかげで、ガラス製の壁要素２０が底部プレート３ａの上縁部にまで延び、引出し収納部３のために特に魅力的な外観を提供することが可能である。金属製の側壁用キャップを取付部１６と１７の上に嵌め込むことも可能である。
【００２２】
図５ａは、引出し延出ガイド４に取り付けられた引出し収納部３の断面図である。引出し収納部３に予め取り付けられている収納部レール８は断面が略Ｚ形状または略Ｓ形状である部分を有しており、底部プレート３ａの下面に当接する肢部８ａと、脚部８ｃと、上部水平肢部８ｂを備えている。これらは底部プレート３ａの凹部１５内に嵌め込まれている。この場合、底部プレート３ａの上縁部２２ａは引出しレール７の上縁部２２ｂの上方に存在するか、ほぼその高さに存在する。この実施例では、輪郭内壁１０ａと輪郭外壁１０ｂとを備えた側壁１０は、収納部レール８とは離れており、適当な手段によって収納部レール８に接続可能な輪郭部材の形態である。
【００２３】
図５ｂは、引出し延出ガイド４が取り外されている図３の引出し収納部を示す。本発明の構造は、側壁１０の非常に狭い設計形状を許容する。ここでは引出し延出方向の横断方向で測定された側壁１０の幅（ａ）と、収納部レール８の幅（Ｂ）との比は、ａ：Ｂ≦１：３、好適にはａ：Ｂ≦１：６でよい。
【００２４】
図６は、引出し収納部３の部材の分解図である。前端領域で収納部レール８は、側壁１０及び／又はプレート形状である壁部２０を保持する取付部１６を有する。取付部１６は、前方パネル３ｂの後面に取り付けられる保持部分１８を取り付けるか調節するようにも提供されている。引出し延出方向Ｘの横断方向で測定した取付部１６と１７の幅（ｂ）と、収納部レール８の幅Ｂ（図５ｂ）との比は、ｂ：Ｂ≦１：３、好適にはｂ：Ｂ≦１：５でよい。装飾的な壁要素２０は取付部１６と１７の間に挿入でき、壁要素２０は、その上に嵌め込まれるカバー２１ａと２１ｂによって、落下しないように固定される。あるいは、金属製の側壁１０を取付部１６と１７上に嵌め込むことも可能である。嵌め込み状態の取付部１６と１７は、輪郭内壁１０ａと輪郭外壁１０ｂとの間に空隙を有する。側面図では、引出しの長手方向で測定した取付部１６と１７の長さ（Ｉ）と、収納部８の長さ（Ｌ）との比はＩ：Ｌ≦１：１０、好適にはＩ：Ｌ≦１：１５でよい。
【００２５】
解説した本発明構造の特定の利点は、壁要素２０は（特に取付部１６と１７の上述した寸法比のため）、収納部レール８のほぼ全長Ｌに亘って延びることができる。取り付け位置では、壁要素２０の下長手縁部は、底部プレート３ａの上縁部２２ａ（図５）と同じ高さに存在できる。このように、非常に美的な外観が引出し収納部３に付与可能となる。
【図１】
2013518621.tif 000003
【図２ａ】
2013518621.tif 000004
【図２ｂ】
2013518621.tif 000005
【図３ａ】
2013518621.tif 000006
【図３ｂ】
2013518621.tif 000007
【図４】
2013518621.tif 000008
【図５ａ】
2013518621.tif 000009
【図５ｂ】
2013518621.tif 000010
【図６】
2013518621.tif 000011
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
家具（１）用の引出し収納部（３）であって、底部プレート（３ａ）と、該底部プレート（３ａ）に固定された少なくとも１体の収納部レール（８）とを含んでおり、該収納部レール（８）を利用することで、本引出し収納部（３）を家具枠体（２）に対して延び出させるように取り付けるために、本引出し収納部（３）は、引出し延出ガイド（４）の可動レール（７）に接続され、あるいは接続可能であり、前記収納部レール（８）は前記底面プレート（３ａ）の下面に当接する部分（８ａ、８ｂ、８ｃ）を有しており、該部分（８ａ、８ｂ、８ｃ）は、断面が略Ｚ形状または略Ｓ形状である下部水平肢部（８ａ）と上部水平肢部（８ｂ）とを含んだものであり、該下部水平肢部（８ａ）と該上部水平肢部（８ｂ）とは、好適には実質的に垂直又は湾曲した脚部（８ｃ）によって連結されており、
前記下部水平肢部（８ａ）は前記底部プレート（３ａ）の下面に当接するよう、または固定されるように構成されており、前記上部水平肢部（８ｂ）及び前記脚部（８ｃ）は、前記底部プレート（３ａ）の凹部（１５）に当接あるいは凹部（１５）内に固定されるように構成されており、前記脚部（８ｃ）は、前記底部プレート（３ａ）の対応する長手溝部（１２）内に納まる横突起部（１１）を有していることを特徴とする引出し収納部。
【請求項２】
前記Ｚ形状またはＳ形状の部分（８ａ、８ｂ、８ｃ）には、前記底部プレート（３ａ）の前記横縁部に当接する実質的に垂直な輪郭部分（８ｄ）が隣接していることを特徴とする請求項１記載の引出し収納部。
【請求項３】
前記垂直な輪郭部分（８ｄ）には、前記底部プレート（３ａ）の上面に実質的に垂直に当接する支持肢部（８ｅ）が隣接していることを特徴とする請求項２記載の引出し収納部。
【請求項４】
前記収納部レール（８）は、前方端部領域と後方端部領域において、それぞれ、引出し後壁（１９）および前方パネル（３ｂ）を固定するように提供された上方に突起した取付部（１６、１７）を有していることを特徴とする請求項１から３のいずれか一項に記載の引出し収納部。
【請求項５】
前記取付部（１６、１７）を備えた前記収納部レール（８）は、側面が略Ｕ形状であることを特徴とする請求項４記載の引出し収納部。
【請求項６】
前記引出し収納部（３）の側壁（１０）が前記取付部（１６、１７）に適合することを特徴とする請求項４または５記載の引出し収納部。
【請求項７】
好適にはプレート形状である壁要素（２０）が、前記取付部（１６、１７）間に挿入されていることを特徴とする請求項４から６のいずれか一項に記載の引出し収納部。
【請求項８】
前記凹部（１５）は前記底部プレート（３ａ）の下面に提供され、該凹部（１５）は、該底部プレート（３ａ）の実質的に全長に亘って延びていることを特徴とする請求項１から７のいずれか一項に記載の引出し収納部。
【請求項９】
前記凹部（１５）は前記底部プレート（３ａ）の前記横縁部と平行に延びていることを特徴とする請求項１から８のいずれか一項に記載の引出し収納部。
【請求項１０】
前記凹部（１５）は前記底部プレート（３ａ）の前記横縁部に向かって開いていることを特徴とする請求項１から９のいずれか一項に記載の引出し収納部。
【請求項１１】
前記収納部レール（８）は金属材料で形成されていることを特徴とする請求項１から１０のいずれか一項に記載の引出し収納部。
【請求項１２】
前記脚部（８ｃ）の前記突起部（１１）は断面図において水平に延出していることを特徴とする請求項１から１１のいずれか一項に記載の引出し収納部。
【請求項１３】
前記突起部（１１）は、実質的に前記収納部レール（８）の全長（Ｌ）に亘って延びていることを特徴とする請求項１から１２のいずれか一項に記載の引出し収納部。
【請求項１４】
請求項１から１３のいずれか一項に記載の引出し収納部を備えた構造物であって、引出し延出ガイド（４）の可動レール（７）に接続されており、または接続されることを特徴とする構造物。
【国際調査報告】
2013518621.tif 000012
2013518621.tif 000013
2013518621.tif 000014
2013518621.tif 000015
2013518621.tif 000016
2013518621.tif 000017